(57)【要約】【課題】利用者の嗜好を示す意味情報をキーワードとして利用者の嗜好に合う意味情報コンテンツを検索し利用者および必要により同じ嗜好の他の利用者にリアルタイムに配信するコンテンツ配信方法、システム、プログラムを提供する。【解決手段】情報端末１からの利用者の嗜好を示す意味情報、利用者ＩＤを意味情報ネットワーク３を介して意味情報スイッチ４で受信してコンテンツエージェントに送信し、コンテンツエージェントで利用者の意味情報をキーワードとして情報蓄積手段を検索し、利用者の意味情報に適合する意味情報コンテンツアドレスを取得し、利用者ＩＤとともにコンテンツサーバ６に送信し、意味情報コンテンツアドレスに該当する意味情報コンテンツを取得し、利用者ＩＤの情報端末に配信する。【選択図】　　　図１
2004127036.tif 000002
【特許請求の範囲】
【請求項１】
接続される情報端末からの利用者の嗜好を示す意味情報を判定する機能を有する複数の意味情報スイッチからなる意味情報ネットワークにおいて意味情報コンテンツを情報端末に配信するコンテンツ配信方法であって、
第三者の提供する意味情報コンテンツアドレスを意味情報に対応して情報蓄積手段に蓄積し、意味情報コンテンツの情報端末への仲介を行うコンテンツエージェントを設けるとともに、意味情報コンテンツを情報端末に配信するコンテンツサーバを意味情報ネットワークに接続して設け、
情報端末から送信されてくる利用者の嗜好を示す意味情報および利用者ＩＤを含むメッセージを意味情報スイッチで受信した場合、このメッセージに含まれる利用者の意味情報および利用者ＩＤを意味情報スイッチで取り出してコンテンツエージェントに送信し、
コンテンツエージェントにおいて意味情報スイッチから受信した利用者の意味情報をキーワードとして各意味情報に対応して意味情報コンテンツアドレスを蓄積している前記情報蓄積手段を検索し、利用者の意味情報に適合する意味情報コンテンツアドレスを取得し、
この取得した意味情報コンテンツアドレスを利用者ＩＤとともにコンテンツエージェントからコンテンツサーバに送信し、
コンテンツサーバにおいてコンテンツエージェントから受信した意味情報コンテンツアドレスに基づき各意味情報コンテンツアドレスに対応して意味情報コンテンツを蓄積されているコンテンツ蓄積手段から該当する意味情報コンテンツを取得し、この取得した意味情報コンテンツを利用者ＩＤの情報端末に配信すること
を特徴とするコンテンツ配信方法。
【請求項２】
意味情報スイッチにおいて各利用者のＩＤを利用者の嗜好を示す意味情報に対応して利用者ＩＤ蓄積手段に蓄積しておき、
前記利用者の意味情報および利用者ＩＤを意味情報スイッチで取り出してコンテンツエージェントに送信するステップは、
利用者の意味情報および利用者ＩＤを受信元利用者の意味情報および受信元利用者ＩＤとして取り出し、
この受信元利用者の意味情報をキーワードとして前記利用者ＩＤ蓄積手段を検索し、受信元利用者の意味情報に適合する利用者ＩＤを他の利用者ＩＤとして取得し、
この取得した他の利用者ＩＤを前記受信元利用者ＩＤおよび受信元利用者の意味情報とともに意味情報スイッチからコンテンツエージェントに送信し、
前記コンテンツエージェントにおいて意味情報コンテンツアドレスを取得するステップは、
コンテンツエージェントにおいて意味情報スイッチから受信した受信元利用者の意味情報をキーワードに前記情報蓄積手段を検索し、受信元利用者の意味情報に適合する意味情報コンテンツアドレスを取得し、
前記意味情報コンテンツアドレスをコンテンツエージェントからコンテンツサーバに送信するステップは、
前記受信元利用者の意味情報に適合する意味情報コンテンツアドレスを受信元利用者ＩＤおよび他の利用者ＩＤとともにコンテンツエージェントから意味情報ネットワークを介してコンテンツサーバに送信し、
前記コンテンツサーバにおいて意味情報コンテンツを情報端末に配信するステップは、
コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信すること
を特徴とする請求項１記載のコンテンツ配信方法。
【請求項３】
意味情報ネットワーク利用機能を搭載した情報端末が接続され、情報端末からの利用者の嗜好を示す意味情報を判定する機能を有する複数の意味情報スイッチからなる意味情報ネットワークにおいて情報端末から意味情報を受信し、この意味情報に適合する意味情報コンテンツを情報端末に配信するコンテンツ配信方法であって、
利用者の嗜好を示す意味情報に関連する第三者の提供する各意味情報コンテンツアドレスを意味情報に対応して情報蓄積手段に蓄積していて、意味情報コンテンツの情報端末への仲介を行うコンテンツエージェントを意味情報スイッチを介して意味情報ネットワークに接続して設けるとともに、意味情報コンテンツを情報端末に配信するコンテンツサーバを意味情報ネットワークに接続して設け、
複数の利用者の嗜好を示す複数の意味情報を情報端末を介して利用者に紹介するための論理空間であるイベントプレースを意味情報スイッチの主催として意味情報スイッチに設け、
情報端末から意味情報ネットワークを介して送信されてくるイベントプレースへの利用者の参加希望情報、利用者の嗜好を示す意味情報および利用者ＩＤを含むメッセージを意味情報スイッチで受信した場合、イベントプレースへの利用者の参加希望情報に応答し、メッセージに含まれる利用者の意味情報および利用者ＩＤを意味情報スイッチで取り出してコンテンツエージェントに送信し、
コンテンツエージェントにおいて意味情報スイッチから受信した利用者の意味情報をキーワードとして各意味情報に対応して意味情報コンテンツアドレスを蓄積している前記情報蓄積手段を検索し、利用者の意味情報に適合する意味情報コンテンツアドレスを取得し、
この取得した意味情報コンテンツアドレスを利用者ＩＤとともにコンテンツエージェントから意味情報ネットワークを介してコンテンツサーバに送信し、
コンテンツサーバにおいてコンテンツエージェントから受信した意味情報コンテンツアドレスに基づき各意味情報コンテンツアドレスに対応して意味情報コンテンツを蓄積されているコンテンツ蓄積手段から該当する意味情報コンテンツを取得し、この取得した意味情報コンテンツを意味情報ネットワークを介して利用者ＩＤの情報端末に配信すること
を特徴とするコンテンツ配信方法。
【請求項４】
意味情報スイッチにおいてイベントプレースに参加している各利用者のＩＤを利用者の嗜好を示す意味情報に対応して利用者ＩＤ蓄積手段に蓄積しておき、
前記利用者の意味情報および利用者ＩＤを意味情報スイッチで取り出してコンテンツエージェントに送信するステップは、
利用者の意味情報および利用者ＩＤを受信元利用者の意味情報および受信元利用者ＩＤとして取り出し、
この受信元利用者の意味情報をキーワードとして前記利用者ＩＤ蓄積手段を検索し、受信元利用者の意味情報に適合する利用者ＩＤを他の利用者ＩＤとして取得し、
この取得した他の利用者ＩＤを前記受信元利用者ＩＤおよび受信元利用者の意味情報とともに意味情報スイッチからコンテンツエージェントに送信し、
前記コンテンツエージェントにおいて意味情報コンテンツアドレスを取得するステップは、
コンテンツエージェントにおいて意味情報スイッチから受信した受信元利用者の意味情報をキーワードに前記情報蓄積手段を検索し、受信元利用者の意味情報に適合する意味情報コンテンツアドレスを取得し、
前記意味情報コンテンツアドレスをコンテンツエージェントからコンテンツサーバに送信するステップは、
前記受信元利用者の意味情報に適合する意味情報コンテンツアドレスを受信元利用者ＩＤおよび他の利用者ＩＤとともにコンテンツエージェントから意味情報ネットワークを介してコンテンツサーバに送信し、
前記コンテンツサーバにおいて意味情報コンテンツを情報端末に配信するステップは、
コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信すること
を特徴とする請求項３記載のコンテンツ配信方法。
【請求項５】
意味情報ネットワーク利用機能を搭載した情報端末が接続され、情報端末からの利用者の嗜好を示す意味情報を判定する機能を有する複数の意味情報スイッチからなる意味情報ネットワークにおいて情報端末から意味情報を受信し、この意味情報に適合する意味情報コンテンツを情報端末に配信するコンテンツ配信システムであって、
意味情報スイッチを介して意味情報ネットワークに接続され、意味情報コンテンツの情報端末への仲介を行うコンテンツエージェントと、
このコンテンツエージェントに設けられ、利用者の嗜好を示す意味情報に関連する第三者の提供する各意味情報コンテンツアドレスを意味情報に対応して蓄積している情報蓄積手段と、
意味情報ネットワークに接続され、意味情報コンテンツを情報端末に配信するコンテンツサーバと、
このコンテンツサーバに設けられ、各意味情報コンテンツアドレスに対応して意味情報コンテンツを蓄積されているコンテンツ蓄積手段と、
意味情報スイッチに設けられ、情報端末から意味情報ネットワークを介して送信されてくる利用者の嗜好を示す意味情報および利用者ＩＤを含むメッセージを受信した場合、このメッセージに含まれる利用者の意味情報および利用者ＩＤを取り出してコンテンツエージェントに送信するメッセージ取得手段と、
コンテンツエージェントに設けられ、意味情報スイッチから受信した利用者の意味情報をキーワードとして前記情報蓄積手段を検索し、利用者の意味情報に適合する意味情報コンテンツアドレスを取得し、この意味情報コンテンツアドレスを利用者ＩＤとともに意味情報ネットワークを介してコンテンツサーバに送信するコンテンツアドレス取得手段と、
コンテンツサーバに設けられ、コンテンツエージェントから受信した意味情報コンテンツアドレスに基づき前記コンテンツ蓄積手段から該当する意味情報コンテンツを取得し、この取得した意味情報コンテンツを意味情報ネットワークを介して利用者ＩＤの情報端末に配信するコンテンツ配信手段と
を有することを特徴とするコンテンツ配信システム。
【請求項６】
意味情報スイッチに設けられ、各利用者のＩＤを利用者の嗜好を示す意味情報に対応して蓄積している利用者ＩＤ蓄積手段を更に有し、
前記メッセージ取得手段は、
利用者の意味情報および利用者ＩＤを受信元利用者の意味情報および受信元利用者ＩＤとして取り出す受信元情報取り出し手段と、
この取り出した受信元利用者の意味情報をキーワードとして前記利用者ＩＤ蓄積手段を検索し、受信元利用者の意味情報に適合する利用者ＩＤを他の利用者ＩＤとして取得する利用者ＩＤ検索手段と、
この取得した他の利用者ＩＤを前記受信元利用者ＩＤおよび受信元利用者の意味情報とともに意味情報スイッチからコンテンツエージェントに送信する他利用者ＩＤ送信手段とを有し、
前記コンテンツアドレス取得手段は、
コンテンツエージェントにおいて意味情報スイッチから受信した受信元利用者の意味情報をキーワードに前記情報蓄積手段を検索し、受信元利用者の意味情報に適合する意味情報コンテンツアドレスを取得するコンテンツアドレス検索手段と、
この取得した受信元利用者の意味情報に適合する意味情報コンテンツアドレスを受信元利用者ＩＤおよび他の利用者ＩＤとともにコンテンツエージェントから意味情報ネットワークを介してコンテンツサーバに送信するコンテンツアドレス送信手段とを有し、
前記コンテンツ配信手段は、
コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信する両端末配信手段と
を有することを特徴とする請求項５記載のコンテンツ配信システム。
【請求項７】
意味情報ネットワーク利用機能を搭載した情報端末が接続され、情報端末からの利用者の嗜好を示す意味情報を判定する機能を有する複数の意味情報スイッチからなる意味情報ネットワークにおいて情報端末から意味情報を受信し、この意味情報に適合する意味情報コンテンツを情報端末に配信するコンテンツ配信システムであって、
意味情報スイッチを介して意味情報ネットワークに接続され、意味情報コンテンツの情報端末への仲介を行うコンテンツエージェントと、
このコンテンツエージェントに設けられ、利用者の嗜好を示す意味情報に関連する第三者の提供する各意味情報コンテンツアドレスを意味情報に対応して蓄積している情報蓄積手段と、
意味情報ネットワークに接続され、意味情報コンテンツを情報端末に配信するコンテンツサーバと、
このコンテンツサーバに設けられ、各意味情報コンテンツアドレスに対応して意味情報コンテンツを蓄積されているコンテンツ蓄積手段と、
意味情報スイッチの主催として意味情報スイッチに設けられ、複数の利用者の嗜好を示す複数の意味情報を情報端末を介して利用者に紹介するための論理空間であるイベントプレースと、
意味情報スイッチに設けられ、情報端末から意味情報ネットワークを介して送信されてくるイベントプレースへの利用者の参加希望情報、利用者の嗜好を示す意味情報および利用者ＩＤを含むメッセージを受信した場合、イベントプレースへの利用者の参加希望情報に応答し、メッセージに含まれる利用者の意味情報および利用者ＩＤを意味情報スイッチで取り出してコンテンツエージェントに送信するメッセージ取得手段と、
コンテンツエージェントに設けられ、意味情報スイッチから受信した利用者の意味情報をキーワードとして前記情報蓄積手段を検索し、利用者の意味情報に適合する意味情報コンテンツアドレスを取得し、この意味情報コンテンツアドレスを利用者ＩＤとともに意味情報ネットワークを介してコンテンツサーバに送信するコンテンツアドレス取得手段と、
コンテンツサーバに設けられ、コンテンツエージェントから受信した意味情報コンテンツアドレスに基づき前記コンテンツ蓄積手段から該当する意味情報コンテンツを取得し、この取得した意味情報コンテンツを意味情報ネットワークを介して利用者ＩＤの情報端末に配信するコンテンツ配信手段と
を有することを特徴とするコンテンツ配信システム。
【請求項８】
意味情報スイッチに設けられ、イベントプレースに参加している各利用者のＩＤを利用者の嗜好を示す意味情報に対応して蓄積している利用者ＩＤ蓄積手段を更に有し、
前記メッセージ取得手段は、
利用者の意味情報および利用者ＩＤを受信元利用者の意味情報および受信元利用者ＩＤとして取り出す受信元情報取り出し手段と、
この取り出した受信元利用者の意味情報をキーワードとして前記利用者ＩＤ蓄積手段を検索し、受信元利用者の意味情報に適合する利用者ＩＤを他の利用者ＩＤとして取得する利用者ＩＤ検索手段と、
この取得した他の利用者ＩＤを前記受信元利用者ＩＤおよび受信元利用者の意味情報とともに意味情報スイッチからコンテンツエージェントに送信する他利用者ＩＤ送信手段とを有し、
前記コンテンツアドレス取得手段は、
コンテンツエージェントにおいて意味情報スイッチから受信した受信元利用者の意味情報をキーワードに前記情報蓄積手段を検索し、受信元利用者の意味情報に適合する意味情報コンテンツアドレスを取得するコンテンツアドレス検索手段と、
この取得した受信元利用者の意味情報に適合する意味情報コンテンツアドレスを受信元利用者ＩＤおよび他の利用者ＩＤとともにコンテンツエージェントから意味情報ネットワークを介してコンテンツサーバに送信するコンテンツアドレス送信手段とを有し、
前記コンテンツ配信手段は、
コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信する両端末配信手段と
を有することを特徴とする請求項７記載のコンテンツ配信システム。
【請求項９】
請求項１乃至４のいずれか１項に記載のコンテンツ配信方法を実行することを特徴とするコンテンツ配信プログラム。
【発明の詳細な説明】
【０００１】
【発明の属する技術分野】
本発明は、ＩＰ（Ｉｎｔｅｒｎｅｔ　Ｐｒｏｔｏｃｏｌ）ネットワークを利用する意味情報ネットワークにおけるコンテンツ配信方法、システムおよび方法に関し、更に詳しくは、意味情報ネットワーク利用機能を搭載した情報端末が接続され、情報端末からの利用者の嗜好を示す意味情報を判定する機能を有する複数の意味情報スイッチからなる意味情報ネットワークを介して情報端末から意味情報を受信し、この意味情報に適合する意味情報コンテンツを情報端末に配信するコンテンツ配信方法、システムおよびプログラムに関する。
【０００２】
【従来の技術】
従来のコンテンツ配信システムは、クライアント／サーバ型を利用しているものが多く、この従来のクライアント／サーバ型のコンテンツ配信システムでは、クライアントから送信される検索要求をサーバで受信し、サーバにおいて検索要求に応じたコンテンツを検索し、この検索したコンテンツをクライアントに配信するというようにコンテンツをサーバの一カ所に集中的に設け、サーバから各クライアントにコンテンツを配信している。
【０００３】
一方、このような集中型のサーバを介することなく、ネットワーク上に存在する膨大なコンテンツの中からエンドユーザが最適なコンテンツを特定することができ、また情報提供者がコンテンツを配信すべき最適なユーザを特定し、このユーザに対してのみ自身のコンテンツを直接提供することができるとともに、サーバを介することなく、ユーザが希望するコンテンツをリアルタイムに直接探索し得るリアルタイム情報検索も可能なネットワークとして複数の意味情報スイッチからなる意味情報ネットワークが開示されている（例えば、特許文献１参照）。
【０００４】
【特許文献１】
特開２００２−９４５６１号公報
【０００５】
【発明が解決しようとする課題】
従来のコンテンツ配信システムは、上述したように、クライアント／サーバ型が多く、システムの構築にはサーバが必要であり、巨大な設備が必要である上に、システムの維持管理にも多大な技術や費用を要するという問題がある。
【０００６】
また、従来のコンテンツ配信システムでは、情報は検索した利用者にしか配信されず、情報コンテンツを介在するピア・ツー・ピア（Ｐｅｅｒ　ｔｏ　Ｐｅｅｒ）通信を実現することができないという問題がある。
【０００７】
そして、上述したようにサーバを介することなく、利用者が希望するコンテンツをリアルタイムに探索し得る複数の意味情報スイッチからなる意味情報ネットワークを用いて、利用者の嗜好を示す意味情報をキーワードとして利用者の嗜好に合う第三者の提供する意味情報コンテンツをユーザのみならず、必要により同じ嗜好を有する他の利用者にも配信し得るコンテンツ配信システムを開発することが要望されている。
【０００８】
本発明は、上記に鑑みてなされたもので、その目的とするところは、利用者の嗜好を示す意味情報をキーワードとして利用者の嗜好に合う第三者の提供する意味情報コンテンツを検索し利用者および必要により同じ嗜好を有する他の利用者にリアルタイムに配信することができるコンテンツ配信方法、システムおよびプログラムを提供することにある。
【０００９】
【課題を解決するための手段】
上記目的を達成するため、請求項１記載の本発明は、接続される情報端末からの利用者の嗜好を示す意味情報を判定する機能を有する複数の意味情報スイッチからなる意味情報ネットワークにおいて意味情報コンテンツを情報端末に配信するコンテンツ配信方法であって、第三者の提供する意味情報コンテンツアドレスを意味情報に対応して情報蓄積手段に蓄積し、意味情報コンテンツの情報端末への仲介を行うコンテンツエージェントを設けるとともに、意味情報コンテンツを情報端末に配信するコンテンツサーバを意味情報ネットワークに接続して設け、情報端末から送信されてくる利用者の嗜好を示す意味情報および利用者ＩＤを含むメッセージを意味情報スイッチで受信した場合、このメッセージに含まれる利用者の意味情報および利用者ＩＤを意味情報スイッチで取り出してコンテンツエージェントに送信し、コンテンツエージェントにおいて意味情報スイッチから受信した利用者の意味情報をキーワードとして各意味情報に対応して意味情報コンテンツアドレスを蓄積している前記情報蓄積手段を検索し、利用者の意味情報に適合する意味情報コンテンツアドレスを取得し、この取得した意味情報コンテンツアドレスを利用者ＩＤとともにコンテンツエージェントからコンテンツサーバに送信し、コンテンツサーバにおいてコンテンツエージェントから受信した意味情報コンテンツアドレスに基づき各意味情報コンテンツアドレスに対応して意味情報コンテンツを蓄積されているコンテンツ蓄積手段から該当する意味情報コンテンツを取得し、この取得した意味情報コンテンツを利用者ＩＤの情報端末に配信することを要旨とする。
【００１０】
請求項１記載の本発明にあっては、情報端末からの利用者の嗜好を示す意味情報および利用者ＩＤを含むメッセージを意味情報ネットワークを介して意味情報スイッチで受信すると、利用者の意味情報および利用者ＩＤをコンテンツエージェントに送信し、コンテンツエージェントで利用者の意味情報をキーワードとして情報蓄積手段を検索し、利用者の意味情報に適合する意味情報コンテンツアドレスを取得し、この意味情報コンテンツアドレスを利用者ＩＤとともにコンテンツサーバに送信し、コンテンツサーバは受信した意味情報コンテンツアドレスに基づきコンテンツ蓄積手段から該当する意味情報コンテンツを取得し、この意味情報コンテンツを利用者ＩＤの情報端末に配信するため、従来のように巨大な設備や多大の維持管理費や技術を必要とするサーバを用いることなく、利用者の嗜好に適合した意味情報コンテンツを正確かつリアルタイムに検索して配信することができる。
【００１１】
また、請求項２記載の本発明は、請求項１記載の発明において、意味情報スイッチにおいて各利用者のＩＤを利用者の嗜好を示す意味情報に対応して利用者ＩＤ蓄積手段に蓄積しておき、前記利用者の意味情報および利用者ＩＤを意味情報スイッチで取り出してコンテンツエージェントに送信するステップが、利用者の意味情報および利用者ＩＤを受信元利用者の意味情報および受信元利用者ＩＤとして取り出し、この受信元利用者の意味情報をキーワードとして前記利用者ＩＤ蓄積手段を検索し、受信元利用者の意味情報に適合する利用者ＩＤを他の利用者ＩＤとして取得し、この取得した他の利用者ＩＤを前記受信元利用者ＩＤおよび受信元利用者の意味情報とともに意味情報スイッチからコンテンツエージェントに送信し、前記コンテンツエージェントにおいて意味情報コンテンツアドレスを取得するステップが、コンテンツエージェントにおいて意味情報スイッチから受信した受信元利用者の意味情報をキーワードに前記情報蓄積手段を検索し、受信元利用者の意味情報に適合する意味情報コンテンツアドレスを取得し、前記意味情報コンテンツアドレスをコンテンツエージェントからコンテンツサーバに送信するステップが、前記受信元利用者の意味情報に適合する意味情報コンテンツアドレスを受信元利用者ＩＤおよび他の利用者ＩＤとともにコンテンツエージェントから意味情報ネットワークを介してコンテンツサーバに送信し、前記コンテンツサーバにおいて意味情報コンテンツを情報端末に配信するステップが、コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信することを要旨とする。
【００１２】
請求項２記載の本発明にあっては、情報端末から利用者の嗜好を示す意味情報および利用者ＩＤを含むメッセージを意味情報ネットワークを介して意味情報スイッチで受信すると、メッセージに含まれる利用者の意味情報および利用者ＩＤを受信元利用者の意味情報および受信元利用者ＩＤとして取り出し、この受信元利用者の意味情報をキーワードとして利用者ＩＤ蓄積手段を検索し、受信元利用者の意味情報に適合する利用者ＩＤを他の利用者ＩＤとして取得し、この他の利用者ＩＤ、受信元利用者ＩＤ、受信元利用者の意味情報をコンテンツエージェントに送信し、コンテンツエージェントで受信元利用者の意味情報をキーワードとして情報蓄積手段を検索し、受信元利用者の意味情報に適合する意味情報コンテンツアドレスを取得し、受信元利用者ＩＤおよび他の利用者ＩＤとともにコンテンツサーバに送信し、コンテンツサーバで意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信するため、従来のように巨大な設備や多大の維持管理費や技術を必要とするサーバを用いることなく、利用者の嗜好に適合した意味情報コンテンツを検索し、このコンテンツを利用者および利用者と嗜好を同じくする他の利用者にも正確かつリアルタイムに配信し、両利用者で共有することができる。
【００１３】
更に、請求項３記載の本発明は、意味情報ネットワーク利用機能を搭載した情報端末が接続され、情報端末からの利用者の嗜好を示す意味情報を判定する機能を有する複数の意味情報スイッチからなる意味情報ネットワークにおいて情報端末から意味情報を受信し、この意味情報に適合する意味情報コンテンツを情報端末に配信するコンテンツ配信方法であって、利用者の嗜好を示す意味情報に関連する第三者の提供する各意味情報コンテンツアドレスを意味情報に対応して情報蓄積手段に蓄積していて、意味情報コンテンツの情報端末への仲介を行うコンテンツエージェントを意味情報スイッチを介して意味情報ネットワークに接続して設けるとともに、意味情報コンテンツを情報端末に配信するコンテンツサーバを意味情報ネットワークに接続して設け、複数の利用者の嗜好を示す複数の意味情報を情報端末を介して利用者に紹介するための論理空間であるイベントプレースを意味情報スイッチの主催として意味情報スイッチに設け、情報端末から意味情報ネットワークを介して送信されてくるイベントプレースへの利用者の参加希望情報、利用者の嗜好を示す意味情報および利用者ＩＤを含むメッセージを意味情報スイッチで受信した場合、イベントプレースへの利用者の参加希望情報に応答し、メッセージに含まれる利用者の意味情報および利用者ＩＤを意味情報スイッチで取り出してコンテンツエージェントに送信し、コンテンツエージェントにおいて意味情報スイッチから受信した利用者の意味情報をキーワードとして各意味情報に対応して意味情報コンテンツアドレスを蓄積している前記情報蓄積手段を検索し、利用者の意味情報に適合する意味情報コンテンツアドレスを取得し、この取得した意味情報コンテンツアドレスを利用者ＩＤとともにコンテンツエージェントから意味情報ネットワークを介してコンテンツサーバに送信し、コンテンツサーバにおいてコンテンツエージェントから受信した意味情報コンテンツアドレスに基づき各意味情報コンテンツアドレスに対応して意味情報コンテンツを蓄積されているコンテンツ蓄積手段から該当する意味情報コンテンツを取得し、この取得した意味情報コンテンツを意味情報ネットワークを介して利用者ＩＤの情報端末に配信することを要旨とする。
【００１４】
請求項３記載の本発明にあっては、情報端末からのイベントプレースへの利用者の参加希望情報、利用者の嗜好を示す意味情報、利用者ＩＤを含むメッセージを意味情報ネットワークを介して意味情報スイッチで受信すると、イベントプレースへの参加希望情報に応答し、利用者の意味情報および利用者ＩＤをコンテンツエージェントに送信し、コンテンツエージェントで利用者の意味情報をキーワードとして情報蓄積手段を検索し、利用者の意味情報に適合する意味情報コンテンツアドレスを取得し、この意味情報コンテンツアドレスを利用者ＩＤとともにコンテンツサーバに送信し、コンテンツサーバは受信した意味情報コンテンツアドレスに基づきコンテンツ蓄積手段から該当する意味情報コンテンツを取得し、この意味情報コンテンツを利用者ＩＤの情報端末に配信するため、従来のように巨大な設備や多大の維持管理費や技術を必要とするサーバを用いることなく、利用者の嗜好に適合した意味情報コンテンツを正確かつリアルタイムに検索して配信することができる。
【００１５】
請求項４記載の本発明は、請求項３記載の発明において、意味情報スイッチにおいてイベントプレースに参加している各利用者のＩＤを利用者の嗜好を示す意味情報に対応して利用者ＩＤ蓄積手段に蓄積しておき、前記利用者の意味情報および利用者ＩＤを意味情報スイッチで取り出してコンテンツエージェントに送信するステップが、利用者の意味情報および利用者ＩＤを受信元利用者の意味情報および受信元利用者ＩＤとして取り出し、この受信元利用者の意味情報をキーワードとして前記利用者ＩＤ蓄積手段を検索し、受信元利用者の意味情報に適合する利用者ＩＤを他の利用者ＩＤとして取得し、この取得した他の利用者ＩＤを前記受信元利用者ＩＤおよび受信元利用者の意味情報とともに意味情報スイッチからコンテンツエージェントに送信し、前記コンテンツエージェントにおいて意味情報コンテンツアドレスを取得するステップが、コンテンツエージェントにおいて意味情報スイッチから受信した受信元利用者の意味情報をキーワードに前記情報蓄積手段を検索し、受信元利用者の意味情報に適合する意味情報コンテンツアドレスを取得し、前記意味情報コンテンツアドレスをコンテンツエージェントからコンテンツサーバに送信するステップが、前記受信元利用者の意味情報に適合する意味情報コンテンツアドレスを受信元利用者ＩＤおよび他の利用者ＩＤとともにコンテンツエージェントから意味情報ネットワークを介してコンテンツサーバに送信し、前記コンテンツサーバにおいて意味情報コンテンツを情報端末に配信するステップが、コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信することを要旨とする。
【００１６】
請求項４記載の本発明にあっては、情報端末から利用者の嗜好を示す意味情報および利用者ＩＤを含むメッセージを意味情報ネットワークを介して意味情報スイッチで受信すると、メッセージに含まれる利用者の意味情報および利用者ＩＤを受信元利用者の意味情報および受信元利用者ＩＤとして取り出し、この受信元利用者の意味情報をキーワードとして利用者ＩＤ蓄積手段を検索し、受信元利用者の意味情報に適合する利用者ＩＤを他の利用者ＩＤとして取得し、この他の利用者ＩＤ、受信元利用者ＩＤ、受信元利用者の意味情報をコンテンツエージェントに送信し、コンテンツエージェントで受信元利用者の意味情報をキーワードとして情報蓄積手段を検索し、受信元利用者の意味情報に適合する意味情報コンテンツアドレスを取得し、受信元利用者ＩＤおよび他の利用者ＩＤとともにコンテンツサーバに送信し、コンテンツサーバで意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信するため、従来のように巨大な設備や多大の維持管理費や技術を必要とするサーバを用いることなく、利用者の嗜好に適合した意味情報コンテンツを検索し、このコンテンツを利用者および利用者と嗜好を同じくする他の利用者にも正確かつリアルタイムに配信し、両利用者で共有することができる。
【００１７】
また、請求項５記載の本発明は、意味情報ネットワーク利用機能を搭載した情報端末が接続され、情報端末からの利用者の嗜好を示す意味情報を判定する機能を有する複数の意味情報スイッチからなる意味情報ネットワークにおいて情報端末から意味情報を受信し、この意味情報に適合する意味情報コンテンツを情報端末に配信するコンテンツ配信システムであって、意味情報スイッチを介して意味情報ネットワークに接続され、意味情報コンテンツの情報端末への仲介を行うコンテンツエージェントと、このコンテンツエージェントに設けられ、利用者の嗜好を示す意味情報に関連する第三者の提供する各意味情報コンテンツアドレスを意味情報に対応して蓄積している情報蓄積手段と、意味情報ネットワークに接続され、意味情報コンテンツを情報端末に配信するコンテンツサーバと、このコンテンツサーバに設けられ、各意味情報コンテンツアドレスに対応して意味情報コンテンツを蓄積されているコンテンツ蓄積手段と、意味情報スイッチに設けられ、情報端末から意味情報ネットワークを介して送信されてくる利用者の嗜好を示す意味情報および利用者ＩＤを含むメッセージを受信した場合、このメッセージに含まれる利用者の意味情報および利用者ＩＤを取り出してコンテンツエージェントに送信するメッセージ取得手段と、コンテンツエージェントに設けられ、意味情報スイッチから受信した利用者の意味情報をキーワードとして前記情報蓄積手段を検索し、利用者の意味情報に適合する意味情報コンテンツアドレスを取得し、この意味情報コンテンツアドレスを利用者ＩＤとともに意味情報ネットワークを介してコンテンツサーバに送信するコンテンツアドレス取得手段と、コンテンツサーバに設けられ、コンテンツエージェントから受信した意味情報コンテンツアドレスに基づき前記コンテンツ蓄積手段から該当する意味情報コンテンツを取得し、この取得した意味情報コンテンツを意味情報ネットワークを介して利用者ＩＤの情報端末に配信するコンテンツ配信手段とを有することを要旨とする。
【００１８】
請求項５記載の本発明にあっては、情報端末からの利用者の嗜好を示す意味情報および利用者ＩＤを含むメッセージを意味情報ネットワークを介して意味情報スイッチで受信すると、利用者の意味情報および利用者ＩＤをコンテンツエージェントに送信し、コンテンツエージェントで利用者の意味情報をキーワードとして情報蓄積手段を検索し、利用者の意味情報に適合する意味情報コンテンツアドレスを取得し、この意味情報コンテンツアドレスを利用者ＩＤとともにコンテンツサーバに送信し、コンテンツサーバは受信した意味情報コンテンツアドレスに基づきコンテンツ蓄積手段から該当する意味情報コンテンツを取得し、この意味情報コンテンツを利用者ＩＤの情報端末に配信するため、従来のように巨大な設備や多大の維持管理費や技術を必要とするサーバを用いることなく、利用者の嗜好に適合した意味情報コンテンツを正確かつリアルタイムに検索して配信することができる。
【００１９】
更に、請求項６記載の本発明は、請求項５記載の発明において、意味情報スイッチに設けられ、各利用者のＩＤを利用者の嗜好を示す意味情報に対応して蓄積している利用者ＩＤ蓄積手段を更に有し、前記メッセージ取得手段が、利用者の意味情報および利用者ＩＤを受信元利用者の意味情報および受信元利用者ＩＤとして取り出す受信元情報取り出し手段と、この取り出した受信元利用者の意味情報をキーワードとして前記利用者ＩＤ蓄積手段を検索し、受信元利用者の意味情報に適合する利用者ＩＤを他の利用者ＩＤとして取得する利用者ＩＤ検索手段と、この取得した他の利用者ＩＤを前記受信元利用者ＩＤおよび受信元利用者の意味情報とともに意味情報スイッチからコンテンツエージェントに送信する他利用者ＩＤ送信手段とを有し、前記コンテンツアドレス取得手段が、コンテンツエージェントにおいて意味情報スイッチから受信した受信元利用者の意味情報をキーワードに前記情報蓄積手段を検索し、受信元利用者の意味情報に適合する意味情報コンテンツアドレスを取得するコンテンツアドレス検索手段と、この取得した受信元利用者の意味情報に適合する意味情報コンテンツアドレスを受信元利用者ＩＤおよび他の利用者ＩＤとともにコンテンツエージェントから意味情報ネットワークを介してコンテンツサーバに送信するコンテンツアドレス送信手段とを有し、前記コンテンツ配信手段が、コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信する両端末配信手段とを有することを要旨とする。
【００２０】
請求項６記載の本発明にあっては、情報端末から利用者の嗜好を示す意味情報および利用者ＩＤを含むメッセージを意味情報ネットワークを介して意味情報スイッチで受信すると、メッセージに含まれる利用者の意味情報および利用者ＩＤを受信元利用者の意味情報および受信元利用者ＩＤとして取り出し、この受信元利用者の意味情報をキーワードとして利用者ＩＤ蓄積手段を検索し、受信元利用者の意味情報に適合する利用者ＩＤを他の利用者ＩＤとして取得し、この他の利用者ＩＤ、受信元利用者ＩＤ、受信元利用者の意味情報をコンテンツエージェントに送信し、コンテンツエージェントで受信元利用者の意味情報をキーワードとして情報蓄積手段を検索し、受信元利用者の意味情報に適合する意味情報コンテンツアドレスを取得し、受信元利用者ＩＤおよび他の利用者ＩＤとともにコンテンツサーバに送信し、コンテンツサーバで意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信するため、従来のように巨大な設備や多大の維持管理費や技術を必要とするサーバを用いることなく、利用者の嗜好に適合した意味情報コンテンツを検索し、このコンテンツを利用者および利用者と嗜好を同じくする他の利用者にも正確かつリアルタイムに配信し、両利用者で共有することができる。
【００２１】
請求項７記載の本発明は、意味情報ネットワーク利用機能を搭載した情報端末が接続され、情報端末からの利用者の嗜好を示す意味情報を判定する機能を有する複数の意味情報スイッチからなる意味情報ネットワークにおいて情報端末から意味情報を受信し、この意味情報に適合する意味情報コンテンツを情報端末に配信するコンテンツ配信システムであって、意味情報スイッチを介して意味情報ネットワークに接続され、意味情報コンテンツの情報端末への仲介を行うコンテンツエージェントと、このコンテンツエージェントに設けられ、利用者の嗜好を示す意味情報に関連する第三者の提供する各意味情報コンテンツアドレスを意味情報に対応して蓄積している情報蓄積手段と、意味情報ネットワークに接続され、意味情報コンテンツを情報端末に配信するコンテンツサーバと、このコンテンツサーバに設けられ、各意味情報コンテンツアドレスに対応して意味情報コンテンツを蓄積されているコンテンツ蓄積手段と、意味情報スイッチの主催として意味情報スイッチに設けられ、複数の利用者の嗜好を示す複数の意味情報を情報端末を介して利用者に紹介するための論理空間であるイベントプレースと、意味情報スイッチに設けられ、情報端末から意味情報ネットワークを介して送信されてくるイベントプレースへの利用者の参加希望情報、利用者の嗜好を示す意味情報および利用者ＩＤを含むメッセージを受信した場合、イベントプレースへの利用者の参加希望情報に応答し、メッセージに含まれる利用者の意味情報および利用者ＩＤを意味情報スイッチで取り出してコンテンツエージェントに送信するメッセージ取得手段と、コンテンツエージェントに設けられ、意味情報スイッチから受信した利用者の意味情報をキーワードとして前記情報蓄積手段を検索し、利用者の意味情報に適合する意味情報コンテンツアドレスを取得し、この意味情報コンテンツアドレスを利用者ＩＤとともに意味情報ネットワークを介してコンテンツサーバに送信するコンテンツアドレス取得手段と、コンテンツサーバに設けられ、コンテンツエージェントから受信した意味情報コンテンツアドレスに基づき前記コンテンツ蓄積手段から該当する意味情報コンテンツを取得し、この取得した意味情報コンテンツを意味情報ネットワークを介して利用者ＩＤの情報端末に配信するコンテンツ配信手段とを有することを要旨とする。
【００２２】
請求項７記載の本発明にあっては、情報端末からのイベントプレースへの利用者の参加希望情報、利用者の嗜好を示す意味情報、利用者ＩＤを含むメッセージを意味情報ネットワークを介して意味情報スイッチで受信すると、イベントプレースへの参加希望情報に応答し、利用者の意味情報および利用者ＩＤをコンテンツエージェントに送信し、コンテンツエージェントで利用者の意味情報をキーワードとして情報蓄積手段を検索し、利用者の意味情報に適合する意味情報コンテンツアドレスを取得し、この意味情報コンテンツアドレスを利用者ＩＤとともにコンテンツサーバに送信し、コンテンツサーバは受信した意味情報コンテンツアドレスに基づきコンテンツ蓄積手段から該当する意味情報コンテンツを取得し、この意味情報コンテンツを利用者ＩＤの情報端末に配信するため、従来のように巨大な設備や多大の維持管理費や技術を必要とするサーバを用いることなく、利用者の嗜好に適合した意味情報コンテンツを正確かつリアルタイムに検索して配信することができる。
【００２３】
請求項８記載の本発明は、請求項７記載の発明において、意味情報スイッチに設けられ、イベントプレースに参加している各利用者のＩＤを利用者の嗜好を示す意味情報に対応して蓄積している利用者ＩＤ蓄積手段を更に有し、前記メッセージ取得手段が、利用者の意味情報および利用者ＩＤを受信元利用者の意味情報および受信元利用者ＩＤとして取り出す受信元情報取り出し手段と、この取り出した受信元利用者の意味情報をキーワードとして前記利用者ＩＤ蓄積手段を検索し、受信元利用者の意味情報に適合する利用者ＩＤを他の利用者ＩＤとして取得する利用者ＩＤ検索手段と、この取得した他の利用者ＩＤを前記受信元利用者ＩＤおよび受信元利用者の意味情報とともに意味情報スイッチからコンテンツエージェントに送信する他利用者ＩＤ送信手段とを有し、前記コンテンツアドレス取得手段が、コンテンツエージェントにおいて意味情報スイッチから受信した受信元利用者の意味情報をキーワードに前記情報蓄積手段を検索し、受信元利用者の意味情報に適合する意味情報コンテンツアドレスを取得するコンテンツアドレス検索手段と、この取得した受信元利用者の意味情報に適合する意味情報コンテンツアドレスを受信元利用者ＩＤおよび他の利用者ＩＤとともにコンテンツエージェントから意味情報ネットワークを介してコンテンツサーバに送信するコンテンツアドレス送信手段とを有し、前記コンテンツ配信手段が、コンテンツエージェントから受信した意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信する両端末配信手段とを有することを要旨とする。
【００２４】
請求項８記載の本発明にあっては、情報端末から利用者の嗜好を示す意味情報および利用者ＩＤを含むメッセージを意味情報ネットワークを介して意味情報スイッチで受信すると、メッセージに含まれる利用者の意味情報および利用者ＩＤを受信元利用者の意味情報および受信元利用者ＩＤとして取り出し、この受信元利用者の意味情報をキーワードとして利用者ＩＤ蓄積手段を検索し、受信元利用者の意味情報に適合する利用者ＩＤを他の利用者ＩＤとして取得し、この他の利用者ＩＤ、受信元利用者ＩＤ、受信元利用者の意味情報をコンテンツエージェントに送信し、コンテンツエージェントで受信元利用者の意味情報をキーワードとして情報蓄積手段を検索し、受信元利用者の意味情報に適合する意味情報コンテンツアドレスを取得し、受信元利用者ＩＤおよび他の利用者ＩＤとともにコンテンツサーバに送信し、コンテンツサーバで意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信するため、従来のように巨大な設備や多大の維持管理費や技術を必要とするサーバを用いることなく、利用者の嗜好に適合した意味情報コンテンツを検索し、このコンテンツを利用者および利用者と嗜好を同じくする他の利用者にも正確かつリアルタイムに配信し、両利用者で共有することができる。
【００２５】
請求項９記載の本発明は、請求項１乃至４のいずれか１項に記載のコンテンツ配信方法を実行するコンテンツ配信プログラムであることを要旨とする。
【００２６】
【発明の実施の形態】
以下、図面を用いて本発明の実施の形態を説明する。図１は、本発明の一実施形態に係るコンテンツ配信システムの概要を説明するための図であり、図２は、図１に示すコンテンツ配信システムの構成を更に明確に示したブロック図である。
【００２７】
図１、図２に示すコンテンツ配信システムは、ＩＰネットワークを利用する意味情報ネットワーク３を用いて、意味情報ネットワーク利用機能を搭載した例えばＰＣ（パーソナルコンピュータ）ベースの各情報端末１から受信した意味情報に適合する意味情報コンテンツを情報端末１に配信するシステムであり、意味情報ネットワーク３は情報端末１からの利用者の嗜好を示す意味情報を判定する機能を有する複数の意味情報スイッチ４から構成されている。
【００２８】
また、本実施形態のコンテンツ配信システムは、図１、図２に示すように、意味情報ネットワーク３に接続され、意味情報コンテンツの情報端末１への仲介を行うコンテンツエージェント５および意味情報ネットワーク３に接続され、意味情報コンテンツを情報端末１に配信するコンテンツサーバ６を有する。
【００２９】
コンテンツエージェント５は、詳細には、図３に示すように、情報処理部５２を介して意味情報ネットワーク３に接続されるとともに、この情報処理部５２に接続され、利用者の嗜好を示す意味情報に関連する第三者の提供する各意味情報コンテンツアドレスを意味情報および利用者ＩＤに対応して蓄積している情報蓄積手段５５を有する。この情報蓄積手段５５は、第１セレクタ５３および第２セレクタ５４を有し、これらのセレクタを介して蓄積データにアクセスするようになっている。この蓄積データとしては、図示のように利用者ＩＤ５６、意味情報５７、第１コンテンツアドレス５８および第２コンテンツアドレス５９からなる複数の意味情報コンテンツアドレスがあり、意味情報に対応して利用者ＩＤ、第１コンテンツアドレス５８、第２コンテンツアドレス５９が蓄積されている。なお、図３では、一例としてコンテンツアドレスは第１、第２の２つのみ図示されているが、これに限定されるものではない。
【００３０】
また、コンテンツサーバ６は、詳細には、図４に示すように、配信処理部６３を介して意味情報ネットワーク３に接続されるとともに、この配信処理部６３に接続され、各意味情報コンテンツアドレスに対応してコンテンツＡ６５、コンテンツＢ６６などの意味情報コンテンツを蓄積されているコンテンツ蓄積手段６４を有している。
【００３１】
意味情報スイッチ４は、情報端末１から意味情報ネットワーク３を介して送信されてくる利用者の嗜好を示す意味情報および利用者ＩＤを含むメッセージを受信し、このメッセージに含まれる利用者の意味情報および利用者ＩＤを取り出してコンテンツエージェント５に送信するメッセージ取得手段を有する。
【００３２】
コンテンツエージェント５は、意味情報スイッチ４から受信した利用者の意味情報をキーワードとして前記情報蓄積手段５５を検索し、利用者の意味情報に適合する意味情報コンテンツアドレスを取得し、この意味情報コンテンツアドレスを利用者ＩＤとともに意味情報ネットワーク３を介してコンテンツサーバ６に送信するコンテンツアドレス取得手段を有する。
【００３３】
コンテンツサーバ６は、コンテンツエージェント５から受信した意味情報コンテンツアドレスに基づき前記コンテンツ蓄積手段６４から該当する意味情報コンテンツを取得し、この取得した意味情報コンテンツを意味情報ネットワーク３を介して利用者ＩＤの情報端末１に配信するコンテンツ配信手段を有する。
【００３４】
また更に、図２に示すように、意味情報ネットワーク３には複数の意味情報スイッチ４を単位として意味情報スイッチ４が主催し、複数の利用者の嗜好を示す複数の意味情報を情報端末１を介して利用者に紹介するための論理空間であるイベントプレース４１が設けられている。そして、このイベントプレース４１への利用者からの参加希望情報を情報端末１から意味情報ネットワーク３を介して意味情報スイッチ４が受信した場合には、利用者の嗜好を示す意味情報および利用者ＩＤを含むメッセージを受信した場合には、このイベントプレース４１への利用者の参加希望情報に応答し、この利用者をイベントプレース４１に登録するとともに、また利用者に対して嗜好を同じくする本システムの他の利用者を紹介したり、利用者の嗜好に合った意味情報コンテンツを提供するようになっている。
【００３５】
なお、本実施形態のコンテンツ配信システムにおいて、本システムを構成する各構成要素間で交換する利用者ニーズの制御に関する情報は、図７に示すような形式で構成されている。
【００３６】
この情報は、利用者の意思を表示する利用者意思表示フィールド５０１、イベントプレース４１への参加者情報である利用者ＩＤを表示する利用者ＩＤフィールド５０２、制御情報の宛先を設定されるヘッダ５０４、コンテンツ配信パケットが設定されるコンテンツ５０３から構成されている。
【００３７】
また、利用者意思表示フィールド５０１には、利用者が意味情報を登録する場合の意味情報、利用者がイベントプレース４１に参加する場合の参加フラグ、コンテンツ配信指示時の意味情報などが設定されるようになっている。
【００３８】
以上のように構成される本実施形態のコンテンツ配信システムにおいては、利用者が自分の嗜好に合ったコンテンツを取得するために情報端末１から意味情報ネットワーク３にアクセスし、自分の嗜好を示す意味情報および利用者ＩＤを含むメッセージを送信すると、このメッセージは意味情報ネットワーク３を介して意味情報スイッチ４で受信される。意味情報スイッチ４は、メッセージを受信すると、このメッセージに含まれる利用者の意味情報および利用者ＩＤを取り出し、コンテンツエージェント５に送信する。
【００３９】
コンテンツエージェント５は、意味情報スイッチ４から利用者の意味情報および利用者ＩＤを受信すると、この受信した利用者の意味情報をキーワードとして情報蓄積手段５５を検索し、利用者の意味情報に適合する意味情報コンテンツアドレスを取得する。コンテンツエージェント５は、この意味情報コンテンツアドレスを利用者ＩＤとともに意味情報ネットワーク３を介してコンテンツサーバ６に送信する。
【００４０】
コンテンツサーバ６は、コンテンツエージェント５から意味情報コンテンツアドレスおよび利用者ＩＤを受信すると、この受信した意味情報コンテンツアドレスに基づきコンテンツ蓄積手段６４から該当する意味情報コンテンツを取得し、この意味情報コンテンツを意味情報ネットワーク３を介して利用者ＩＤの情報端末１に配信する。上述したように、利用者は、例えばＰＣベースの比較的安価な情報端末１を使用して、自分の希望するまたは自分の嗜好に合った正確な意味情報コンテンツをリアルタイムに受信し、端末のディスプレイなどに表示して閲覧することができる。
【００４１】
次に、図５、図６に示すフローチャートを参照して、上述した実施形態のコンテンツ配信システムの作用について説明する。
【００４２】
まず、図５に示すフローチャートを参照して、利用者が情報端末１からイベントプレース４１に参加し、希望する意味情報コンテンツの配信を受ける処理について説明する。
【００４３】
まず、利用者がイベントプレース４１への参加を希望して情報端末１から意味情報ネットワーク３にアクセスし、イベントプレースへの参加希望情報、利用者自身の嗜好を示す意味情報および利用者ＩＤを含むメッセージを送信すると、このメッセージは意味情報ネットワーク３を介して意味情報スイッチ４で受信される（ステップＳ１１）。
【００４４】
意味情報スイッチ４は、このメッセージを受信すると、このメッセージに含まれるイベントプレース４１への利用者の参加希望情報に応答し、メッセージに含まれる利用者の意味情報および利用者ＩＤを取り出し、コンテンツエージェント５に送信して通知する（ステップＳ１３）。
【００４５】
コンテンツエージェント５は、意味情報スイッチ４から利用者の意味情報および利用者ＩＤを受信すると、この受信した利用者の意味情報をキーワードとして情報蓄積手段５５を検索し、利用者の意味情報に適合する意味情報コンテンツアドレスを取得する。そして、コンテンツエージェント５は、この取得した意味情報コンテンツアドレスを利用者ＩＤとともに意味情報ネットワーク３を介してコンテンツサーバ６に送信する（ステップＳ１５）。
【００４６】
コンテンツサーバ６は、コンテンツエージェント５から意味情報コンテンツアドレスおよび利用者ＩＤを受信すると、この受信した意味情報コンテンツアドレスに基づきコンテンツ蓄積手段６４から該当する意味情報コンテンツを取得し、この取得した意味情報コンテンツを意味情報ネットワーク３を介して利用者ＩＤの情報端末１に配信する（ステップＳ１７）。利用者はコンテンツサーバ６から配信されてくる意味情報コンテンツを情報端末１で受信し、鑑賞する（ステップＳ１９）。
【００４７】
上述したように、本システムの利用者は、イベントプレース４１への参加の意思表示を意味情報スイッチ４に送信することにより、自分の嗜好を示す意味情報にマッチした意味情報コンテンツをリアルタイムに受信することができる。
【００４８】
なお、この場合、イベントプレース４１に参加している各利用者のＩＤを利用者の嗜好を示す意味情報に対応して蓄積する利用者ＩＤ蓄積手段を設けることにより、利用者と嗜好を同じくする他の利用者にも同じコンテンツを配信することができる。この処理については以下に説明する。
【００４９】
図６に示すフローチャートを参照して、利用者が意味情報スイッチ４のイベントプレース４１に参加して、嗜好を同じくする他の利用者を発見し、嗜好に関する意味情報コンテンツを他の利用者と共有する処理について説明する。
【００５０】
この図６に示す処理では、イベントプレース４１に参加している各利用者のＩＤを利用者の嗜好を示す意味情報に対応して蓄積している利用者ＩＤ蓄積手段をイベントプレース４１に、具体的には意味情報スイッチ４に備えておき、この利用者ＩＤ蓄積手段から嗜好の同じ他の利用者を検索するようにしている。
【００５１】
図６に示す処理では、まず利用者が情報端末１から意味情報ネットワーク３にアクセスし、自分の嗜好を示す意味情報および利用者ＩＤを必要によりイベントプレースへの利用者の参加希望情報とともに含むメッセージを送信すると、このメッセージは意味情報ネットワーク３を介して意味情報スイッチ４で受信される。意味情報スイッチ４は、メッセージに含まれる利用者の意味情報および利用者ＩＤを受信元利用者の意味情報および受信元利用者ＩＤとして取り出し、この受信元利用者の意味情報をキーワードとして前記利用者ＩＤ蓄積手段を検索し、受信元利用者の意味情報に適合する利用者ＩＤを他の利用者ＩＤとして取得、すなわち発見する（ステップＳ３１）。
【００５２】
次に、意味情報スイッチ４は、情報端末１から受信した意味情報を既設定の意味情報と比較する（ステップＳ３３）。この比較の結果、情報端末１からの意味情報が既設定の意味情報と合致（図６では適合）する場合には、意味情報スイッチ４が上述したように取得した他の利用者ＩＤ、受信元利用者ＩＤおよび受信元利用者の意味情報を意味情報スイッチ４からコンテンツエージェント５に送信して通知する（ステップＳ３５）。
【００５３】
コンテンツエージェント５は、意味情報スイッチ４から受信した受信元利用者の意味情報をキーワードとして前記情報蓄積手段５５を検索し、受信元利用者の意味情報に適合する意味情報コンテンツアドレスを取得し、この取得した意味情報コンテンツアドレスを受信元利用者ＩＤおよび他の利用者ＩＤとともにコンテンツエージェント５から意味情報ネットワーク３を介してコンテンツサーバ６に送信し、コンテンツサーバ６に配信指示を行う（ステップＳ３７）。
【００５４】
コンテンツサーバ６は、コンテンツエージェント５から意味情報コンテンツアドレス、受信元利用者ＩＤおよび他の利用者ＩＤを受信すると、この受信した意味情報コンテンツアドレスに基づきコンテンツ蓄積手段６４から該当する意味情報コンテンツを取得し、この取得した意味情報コンテンツを意味情報ネットワーク３を介して受信元利用者ＩＤおよび他の利用者ＩＤの両情報端末に配信する（ステップＳ３９）。受信元利用者および他の利用者の両情報端末１は、コンテンツサーバ６からの意味情報コンテンツを受信して鑑賞し、これにより受信元利用者は自分と同じ嗜好を有する他の利用者と意味情報コンテンツをリアルタイムに共有することができる（ステップＳ４１）。
【００５５】
また、ステップＳ３３における比較の結果、情報端末１からの意味情報が既設定の意味情報と合致しない（図６では不適合）場合には、ステップＳ４３に進んで、意味情報スイッチ４は、意味情報ルーティングを実施して次の意味情報スイッチ４に情報端末１からの意味情報を転送し、この転送された次の意味情報スイッチ４において情報端末１からの意味情報と既設定の意味情報との比較を行い、この比較で両意味情報が合致した場合にステップＳ３５以下の処理を上述したように行うようになっている。
【００５６】
すなわち、意味情報ネットワーク３は、複数の意味情報スイッチ４が意味情報ルータで接続されるとともに、このように意味情報ルータで接続された一群の意味情報スイッチ４が更に意味情報ゲートウェイで接続されて構成されていて、１つの意味情報スイッチ４において情報端末１からの意味情報に合致する既設定の意味情報がない場合には、意味情報ルータを介して次の意味情報スイッチ４に情報端末１からの意味情報を転送し、この意味情報スイッチ４に設けられている既設定の意味情報と情報端末１からの意味情報とを比較するようになっているものである。
【００５７】
なお、上記実施形態のコンテンツ配信処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、この処理手順を実施するコンテンツ配信システムとして機能させることができることは勿論であり、このような記録媒体を用いることにより、その流通性を高めることができるものである。
【００５８】
【発明の効果】
以上説明したように、本発明によれば、情報端末からの利用者の嗜好を示す意味情報および利用者ＩＤを含むメッセージを意味情報ネットワークを介して意味情報スイッチで受信すると、利用者の意味情報および利用者ＩＤをコンテンツエージェントに送信し、コンテンツエージェントで利用者の意味情報をキーワードとして情報蓄積手段を検索し、利用者の意味情報に適合する意味情報コンテンツアドレスを取得し、この意味情報コンテンツアドレスを利用者ＩＤとともにコンテンツサーバに送信し、コンテンツサーバは受信した意味情報コンテンツアドレスに基づきコンテンツ蓄積手段から該当する意味情報コンテンツを取得し、この意味情報コンテンツを利用者ＩＤの情報端末に配信するので、従来のように巨大な設備や多大の維持管理費や技術を必要とするサーバを用いることなく、利用者の嗜好に適合した意味情報コンテンツを正確かつリアルタイムに検索して配信することができる。
【００５９】
また、本発明によれば、情報端末から利用者の嗜好を示す意味情報および利用者ＩＤを含むメッセージを意味情報ネットワークを介して意味情報スイッチで受信すると、メッセージに含まれる利用者の意味情報および利用者ＩＤを受信元利用者の意味情報および受信元利用者ＩＤとして取り出し、この受信元利用者の意味情報をキーワードとして利用者ＩＤ蓄積手段を検索し、受信元利用者の意味情報に適合する利用者ＩＤを他の利用者ＩＤとして取得し、この他の利用者ＩＤ、受信元利用者ＩＤ、受信元利用者の意味情報をコンテンツエージェントに送信し、コンテンツエージェントで受信元利用者の意味情報をキーワードとして情報蓄積手段を検索し、受信元利用者の意味情報に適合する意味情報コンテンツアドレスを取得し、受信元利用者ＩＤおよび他の利用者ＩＤとともにコンテンツサーバに送信し、コンテンツサーバで意味情報コンテンツアドレスに基づきコンテンツ蓄積手段から該当する意味情報コンテンツを取得し、この意味情報コンテンツを受信元利用者ＩＤおよび他の利用者ＩＤの両情報端末に配信するので、従来のように巨大な設備や多大の維持管理費や技術を必要とするサーバを用いることなく、利用者の嗜好に適合した意味情報コンテンツを検索し、このコンテンツを利用者および利用者と嗜好を同じくする他の利用者にも正確かつリアルタイムに配信し、両利用者で共有することができる。
【図面の簡単な説明】
【図１】本発明の一実施形態に係るコンテンツ配信システムの概要を説明するための図である。
【図２】図１に示すコンテンツ配信システムの構成を更に明確に示したブロック図である。
【図３】図１、図２に示す実施形態のコンテンツ配信システムに使用されているコンテンツエージェントの構成を示すブロック図である。
【図４】図１、図２に示す実施形態のコンテンツ配信システムに使用されているコンテンツサーバの構成を示すブロック図である。
【図５】図１、図２に示す実施形態のコンテンツ配信システムの処理、特に利用者が情報端末からイベントプレースに参加し、希望する意味情報コンテンツの配信を受ける処理を示すフローチャートである。
【図６】図１、図２に示す実施形態のコンテンツ配信システムの処理、特に利用者が意味情報スイッチのイベントプレースに参加して、嗜好を同じくする他の利用者を発見し、嗜好に関する意味情報コンテンツを他の利用者と共有する処理を示すフローチャートである。
【図７】図１、図２に示す実施形態のコンテンツ配信システムを構成する各構成要素間で交換する利用者ニーズの制御に関する情報の形式を示す図である。
【符号の説明】
１　情報端末
３　意味情報ネットワーク
４　意味情報スイッチ
５　コンテンツエージェント
６　コンテンツサーバ
４１　イベントプレース
５５　情報蓄積手段
６４　コンテンツ蓄積手段
【図１】
2004127036.tif 000003
【図２】
2004127036.tif 000004
【図３】
2004127036.tif 000005
【図４】
2004127036.tif 000006
【図５】
2004127036.tif 000007
【図６】
2004127036.tif 000008
【図７】
2004127036.tif 000009